(57)【特許請求の範囲】
【請求項１】
被締結部材の周縁部近傍を厚み方向に貫通するボルトに螺合されるナットを回転操作不可能にロックするために被締結部材の周縁部に装着されるロック装置であって、
前記被締結部材の周縁部への装着時に、前記ボルトの頭部に嵌め合わされる頭部嵌合片と、前記ナットの一側面に沿うナット抱持片と、これら両片の間に形成され被締結部材の周縁部を受け入れ可能な凹溝部とを有する本体と、
前記被締結部材への装着時に前記ボルトと平行になる枢軸により前記本体に枢支され、前記本体の抱持片との間に前記ナットを抱持可能な対応抱持片を有し、当該両抱持片間にナットを抱持する閉位置と当該ナットを解放する開位置との間を回動自在の開閉部材と、
前記本体に組み込まれ、施錠状態において前記開閉部材を閉位置に拘束し、解錠状態において開閉部材を解放するロックユニットとを具備し、
前記本体の頭部嵌合片は、装着時に前記ボルト頭部の対向する両側面に沿うように延びて当該頭部への作業工具の係合を不可能とする一対のフォーク部を具備し、
前記本体のナット抱持片と前記開閉部材の対応抱持片とは、開閉部材が閉位置にあるとき、前記ナットの外周を包囲して当該ナットへの作業工具の係合を不可能とするように構成されることを特徴とするナットのロック装置。
【請求項２】
前記ロックユニットは、シリンダ錠と、このシリンダ錠のロータの回転に連動して前記本体から先端部が突出するロック位置と本体内へ先端部が没する非ロック位置との間を移動自在に組み込まれるデッドボルトとを具備し、
前記開閉部材は、前記枢軸を挿通させる軸受け筒部を有し、当該軸受け筒部に、ロック位置にある前記デッドボルトの先端部が係合する錠止凹部を具備することを特徴とする請求項1に記載のナットのロック装置。
【発明の詳細な説明】
【技術分野】
【０００１】
本発明は、無権限者によるボルト、ナットの取り外しを阻止するロック装置に関する。
【背景技術】
【０００２】
従来、被締め付け部材へ取り付けられたボルト、ナットをいたずらに取り外すことができないようにするいたずら防止金具が知られている（例えば特許文献１）。これは、ボルトの端部に螺合する固定リングと、ボルトの端部とナットとを覆って固定リングに係止される保護キャップとで構成される。固定リングの外径はナットの外径より大きい。保護キャップは、ナット及びボルトの突出端部を内部に隠す椀状部と、この椀状部を固定リングに係止する係止部とを有する。係止部は複数の折り返しばね片で構成される。折り返しばね片は椀状部の開放側端縁から内側へ傾斜して立ち上がり、先端部の配列内径が固定リングの外径より小さい。保護キャップを固定リングの上部に被せて打ち込めば、折り返しばね片が固定リングのナット側に係合して抜け止めされる。この金具は、被締め付け部材の盗難防止のためにも適用できる。
一方、複数枚の太陽電池パネルを一括して固定し、施錠により太陽電池パネルの盗難を防止できる固定装置が特許文献２に記載されている。この固定装置は、複数枚の太陽電池パネルの裏面に夫々取り付けられた複数の被係合部材と、複数枚の太陽電池パネルを支持する第１のフレームと、第１のフレームに対して相対的に移動し、複数枚の太陽電池パネルの裏面に夫々取り付けられた複数の被係合部材を一括して固定するための第２のフレームと、第２のフレームを第１のフレームに対して相対的に移動させるためのハンドルとを備える。ハンドルは、第２のフレームを複数の太陽電池パネルを固定する位置で錠前によって施錠可能に構成される。
【先行技術文献】
【特許文献】
【０００３】
【特許文献１】特開平11-311235
【特許文献２】特開2013-4869
【発明の概要】
【発明が解決しようとする課題】
【０００４】
特許文献１に記載のナットのいたずら防止金具は、ボルトの端部側に保護キャップを装着するための作業空間がない取り付け場所での使用が不可能であるし、正当権限者による取り外しの操作も困難になるという課題がある。
特許文献２に記載の施錠できる太陽電池パネルの固定装置は、特殊構成の多数の部材からなる大がかりな装置であり、汎用性に欠けるという課題がある。
したがって、本発明は、無権限者によるボルト、ナットの取り外しを阻止するが、正当権限者による取り外し操作は容易であり、ボルトの端部側に十分な作業空間がない場所への装着が可能なナットのロック装置を提供することを目的としている。
【課題を解決するための手段】
【０００５】
以下、添付図面の符号を参照して説明するが、本発明はこれに限定されるものではない。
上記課題を解決するための、本発明のナットのロック装置１は、被締結部材１０１，１０２の周縁部近傍を厚み方向に貫通するボルト１０３に螺合されるナット１０４を回転操作不可能にロックするために被締結部材１０１，１０２の周縁部に装着されるロック装置であり、被締結部材１０１，１０２の周縁部に嵌め込まれる本体２と、本体２に枢支される開閉部材３と、本体２に組み込まれるロックユニット４とを具備する。本体２は、被締結部材１０１，１０２の周縁部への装着時に、ボルト頭部１０３ａに嵌め合わされる頭部嵌合片６と、ナットの一側面に沿うナット抱持片７と、これら両片６，７の間に形成され被締結部材１０１，１０２の周縁部を受け入れ可能な凹溝部１０とを有する。開閉部材３は、被締結部材１０１，１０２への装着時に、ボルト１０３と平行になる枢軸１５により本体２に枢支され、本体２の抱持片７との間にナット１０４を抱持可能な対応抱持片１２を有し、当該両抱持片７，１２間にナット１０４を抱持する閉位置と当該ナット１０４を解放する開位置との間を回動自在である。ロックユニット４は、施錠状態において開閉部材３を閉位置に拘束し、解錠状態において開閉部材３を解放する。
【発明の効果】
【０００６】
本発明のナットのロック装置は無権限者によるボルト、ナットの取り外しを阻止するが、正当権限者による取り外し操作は容易であり、ボルトの端部側に大きな作業空間がない場所への装着が可能である。
【図面の簡単な説明】
【０００７】
【図１】本発明に係るナットのロック装置の分解斜視図である。
【図２】図１のナットのロック装置の反対方向からの分解斜視図である。
【図３】図１のナットのロック装置の装着状態の正面図である。
【図４】図１のナットのロック装置の装着状態の平面図である。
【図５】図１のナットのロック装置の装着状態の側面図である。
【図６】図１のナットのロック装置の装着状態の他側面図である。
【図７】図６におけるＶＩＩ−ＶＩＩ断面図である。
【発明を実施するための形態】
【０００８】
図面を参照して本発明の実施の形態を説明する。
図１において、仮想線で示す第１の被締結部材１０１と第２の被締結部材１０２とは、周縁部近傍を厚み方向に貫通するボルト１０３とこれに螺合されるナット１０４にて締め付け固定される。
図４ないし図７によく示すように、ロック装置１は、無権限者によるボルト１０３、ナット１０４の取り外しを阻止して、被締結部材１０１，１０２の盗難を防止するなどの目的で、当該ボルト１０３、ナット１０４を覆うように被締結部材１０１，１０２の周縁部に装着される。
【０００９】
ロック装置１は、本体２と、本体２に枢支される開閉部材３と、キー５の操作で本体２と開閉部材３との間を拘束、解放するロックユニット４とを具備する。
本体２は、被締結部材１０１，１０２の周縁部への装着時に、ボルト頭部１０３ａに嵌め合わされる頭部嵌合片６と、ナット１０４の一側面に沿うナット抱持片７と、両片６，７の基端側を連繋する機構収容部８と、機構収容部８から側方へ延出するブラケット部９とを具備する。頭部嵌合片６とナット抱持片７との間には凹溝部１０が形成される。凹溝部１０に、被締結部材の１０１，１０２の周縁部を受け入れ可能である。
【００１０】
頭部嵌合片６は、装着時にボルト頭部１０３ａの対向する両側面に沿うように延びて当該頭部１０３ａへの作業工具の係合を不可能とする一対のフォーク部６ａと、両フォーク部６ａ間に形成される受け入れ凹部６ｂとを具備する。
【００１１】
ブラケット部９は、装着時にボルト１０３の軸方向に対向する一対の軸受け片９ａを具備する。
【００１２】
開閉部材３は、本体２のブラケット部９に嵌まる軸受け筒部１１と、そこから延出する抱持片１２とを具備し、ブラケット部９と軸受け筒部１１とを貫通する枢軸１５により枢支される。枢軸１５は、被締結部材１０１，１０２への装着時にボルト１０３と平行となるように配置される。抱持片１２は、本体の抱持片７との間にナット１０４を抱持できるように抱持片７と対向する。開閉部材３は、両抱持片７，１２間にナット１０４を抱持する閉位置と、当該ナット１０４を解放する開位置との間を枢軸１５を中心に回動自在である。抱持片７，１２は、開閉部材３が閉位置にあるとき、ナット１０４の外周を包囲して当該ナット１０４への作業工具の係合を不可能とする。
【００１３】
ロックユニット４は、本体２の機構収容部８内に組み込まれ、施錠状態において開閉部材３を閉位置に拘束し、解錠状態において開閉部材３を解放する。
【００１４】
ロックユニット４は、シリンダ錠１３と、このシリンダ錠１３のロータ１３ａの回転に連動するデッドボルト１４とを具備する。デッドボルト１４は、本体２に形成された収容空間８ａ内にロック位置と非ロック位置との間を移動自在に組み込まれ、ロック位置において先端部が収容空間８ａから突出し、非ロック位置において収容空間８ａ内へ没する。
【００１５】
開閉部材３の軸受け筒部１１には、閉位置において本体２のデッドボルト収容空間８ａの開口部に合致する錠止凹部１１ａが設けられる。開閉部材３が閉位置にあるとき、ロック位置にあるデッドボルト１４の先端部が錠止凹部１１ａに係合することにより、開閉部材３を閉位置に拘束する。
【００１６】
例えば、本発明を太陽電池モジュールの固定用ボルト１０３、ナット１０４に適用する場合、一方の被締結部材１０１が太陽電池モジュールの枠体の内向きのフランジ、他方の被締結部材１０２が架台を構成するチャンネル鋼材のフランジとなる。ロック装置１は、無権限者によるボルト１０３、ナット１０４の取り外しを阻止して、太陽電池モジュールの盗難を防止するために、当該ボルト１０３、ナット１０４に装着される。
【００１７】
ロック装置１を装着するとき、開閉部材３は、図４（Ｂ）に示すように、開位置に置き、シリンダ錠１３は、解錠状態で、デッドボルト１４は、本体２内に引き込まれている。凹溝１０内に被締結部材１０１，１０２の縁部を受け入れるようにロック装置１をはめ込み、抱持片７，１２間にナット１０４を配置し、頭部嵌合片６のフォーク部６ａ間にボルトの頭部１０３ａを配置する。この状態で、開閉部材３を閉位置に回動させて、抱持片７，１２間にナット１０４を抱持し、キー５の操作でデッドボルト１４をロック位置に押し出し、その先端部を開閉部材３の錠止凹部１１ａに係合させる。開閉部材３は閉位置にロックされ、キー５の操作で解錠しない限り、ナット１０４を緩めることができない。ボルト頭部１０３ａも頭部嵌合片６に囲まれるから、これを回転させることができない。キー５は施錠位置で抜き取られる。
【００１８】
このナットのロック装置１は、無権限者によるボルト１０３、ナット１０４の取り外しを有効に阻止するが、正当権限者による取り外し操作はキー５により容易に行える。既設のボルト、ナットにも装着できる。ナット１０４に対して軸線直交方向から装着できるので、ボルト１０３の端部側に十分な作業空間がない場所でも装着が可能である。
【符号の説明】
【００１９】
１    ロック装置
２    本体
３    開閉部材
４    ロックユニット
５    キー
６    頭部嵌合片
６ａ  フォーク部
７    抱持片
８    機構収容部
８ａ  収容空間
９    ブラケット
９ａ  軸受け片
１０  凹溝部
１１  軸受け筒部
１１ａ  錠止凹部
１２  抱持片
１３  シリンダ錠
１３ａ  ロータ
１４  デッドボルト
１０１  被締結部材
１０２  被締結部材
１０３  ボルト
１０３ａ  頭部
１０４  ナット
【図１】
0005623581.tif 000002
【図２】
0005623581.tif 000003
【図３】
0005623581.tif 000004
【図４】
0005623581.tif 000005
【図５】
0005623581.tif 000006
【図６】
0005623581.tif 000007
【図７】
0005623581.tif 000008